(57)【要約】【課題】マーカーを磁着するためにゴルフ用帽子の庇部に内装した磁石体あるいは金属体を雨水その他の湿気から保護することができ、且つゴルフ用帽子の見た目の悪さや違和感を解消する。【解決手段】グリーン上にあるゴルフボールの位置の目印となるマーカーＰを携帯可能とした庇部３を備えたゴルフ用帽子１を形成する。当該ゴルフ用帽子１の庇部３に、金属製のマーカーＰが磁着するよう当該庇部３に内装した磁石体Ｍ、あるいは磁石を内蔵したマーカーＰが磁着するよう当該庇部３に内装した金属体Ｌからなる保持体を、透磁性を有する防湿保護フィルム４で被覆する。また、防湿保護フィルム４で被覆してなる保持体Ｍ，Ｌを、庇部３の両サイド位置に内装し、保持体Ｍ，Ｌの形状を円形状もしくは角型形状のいずれかとする。【選択図】図１
0003134121.tif 000002
【実用新案登録請求の範囲】
【請求項１】
グリーン上にあるゴルフボールの位置の目印となるマーカーを携帯可能とした庇部を備えたゴルフ用帽子であって、該庇部に、金属製のマーカーを磁着させるよう当該庇部に内装された磁石体、あるいは磁石を内蔵したマーカーを磁着させるよう当該庇部に内装された金属体からなる保持体を、透磁性を有する防湿保護フィルムで被覆してなることを特徴とするゴルフ用帽子。
【請求項２】
防湿保護フィルムで被覆してなる保持体は、庇部の両サイド位置に内装されているものとした請求項１記載のゴルフ用帽子。
【請求項３】
保持体の形状は、円形状もしくは角型形状のいずれかであるものとした請求項１または２記載のゴルフ用帽子。
【請求項４】
グリーン上にあるゴルフボールの位置の目印となるマーカーを携帯可能とした庇部を備えたゴルフ用帽子であって、該庇部の両サイドに、金属製のマーカーを磁着させるよう当該庇部の両サイドに内装された円形状もしくは角型形状のいずれかによる磁石体、あるいは磁石を内蔵したマーカーを磁着させるよう当該庇部の両サイドに内装された円形状もしくは角型形状のいずれかによる金属体からなる保持体を、防湿保護フィルムで被覆してなることを特徴とするゴルフ用帽子。
【考案の詳細な説明】
【技術分野】
【０００１】
本考案は、主としてゴルフプレーヤーに着用されるゴルフ用帽子に係り、特にグリーン上にあるゴルフボールの位置の目印となるマーカーを携帯可能としたゴルフ用帽子に関する。
【背景技術】
【０００２】
従来から、グリーン上の各プレーヤーのゴルフボールをピックアップしたときのボール位置を表示するために、グリーン上に載置される目印であるマーカーが使用されている。この種のマーカーとしては、例えば突刺ピンを備えた合成樹脂製の円盤、コイン状等の金属板が使用され、さらには金属板に磁石を備えたマーカーも存在する。
【０００３】
このようなマーカーがゴルフ用帽子の庇部にあると、ゴルフプレーヤーは容易にマーカーの着脱を行うことができることから、例えば特許文献１、特許文献２等に開示されている技術、および図３に示されているように、ゴルフ用帽子１の庇部３に金属製のクリップＫを取り付け、磁石Ｍを内部に保持したマーカーＰをこのクリップＫに磁着させるという技術が提案されている。
【０００４】
また、特許文献３に開示されているように、ゴルフ用帽子の庇部の被覆内層に、扁平状の磁石を積層状に挟着し、強磁性体小品のコイン状のマーカーや、その他小物部品の釘や小ネジ等を吸着して携行可能とする技術も存在する。
【０００５】
さらに、特許文献４に開示されているように、ゴルフ用帽子の庇部の周縁等にポケット部を形成し、該ポケット部に磁石部を有する第１のマーカーを配設すると共に、該第１のマーカーの配設によって吸着取付部となった当該庇部に磁石部を有する第２のマーカーを前記第１のマーカーと交換自在に吸着配置した技術も存在する。
【特許文献１】実用新案登録第３１０１４５６号公報
【特許文献２】実用新案登録第３１０２０９０号公報
【特許文献３】実用新案登録第３１０３３５３号公報
【特許文献４】実用新案登録第３１１４６９６号公報
【考案の開示】
【考案が解決しようとする課題】
【０００６】
しかしながら、従来においては、例えば特許文献１、特許文献２に開示されている技術による場合では、庇部３に取り付けられたクリップＫが見えてしまい、このクリップＫを介してコイン状のマーカーＰを吸着させているため、外観上において見た目が悪く、しかもクリップＫ自体の重量によって違和感を感じやすいものとなる。
【０００７】
また、特許文献３に開示されている技術による場合では、庇部の被覆内層に、扁平状の磁石そのものだけを積層状に挟着してあることから、降雨時での雨水による磁石の防錆等の保護対策が何等なされていないため、磁石に対するマーカーの磁着力の維持が困難なものとなる。
【０００８】
また、特許文献４に開示されている技術による場合では、庇部の周縁等のポケット部に磁石部を有する第１のマーカーを配設したものであることから、降雨時での雨水が当該庇部のポケット部内に浸入して溜まってしまう虞がある。しかも、庇部の周縁全体に存在するポケット部の存在により、見た目が悪くしかも違和感を感じさせるものとなる。さらに、ポケット部からのマーカーの取り出しが非常に面倒である。
【０００９】
そこで、本考案は叙上のような従来存した諸事情に鑑み創案されたもので、ゴルフ用帽子の庇部に、金属製のマーカーを磁着させるために当該庇部に内装された磁石、あるいは磁石を内蔵したマーカーを磁着させるために当該庇部に内装された金属を湿気から保護することができ、しかも庇部に対するマーカーの着脱が容易となり、且つ庇部へのマーカーの磁着に際し、ゴルフ用帽子自体の見た目の悪さや違和感を解消することができるゴルフ用帽子を提供することを目的とする。
【課題を解決するための手段】
【００１０】
上述した課題を解決するため、本考案にあっては、グリーン上にあるゴルフボールの位置の目印となるマーカーＰを携帯可能とした庇部３を備えたゴルフ用帽子１であって、該庇部３に、金属製のマーカーＰを磁着させるよう当該庇部３に内装された磁石体Ｍ、あるいは磁石を内蔵したマーカーＰを磁着させるよう当該庇部３に内装された金属体Ｌからなる保持体を、透磁性を有する防湿保護フィルム４で被覆してなるものである。
また、防湿保護フィルム４で被覆してなる保持体Ｍ，Ｌは、庇部３の両サイド位置、好ましくは対称位置に内装されているものとできる。
さらに、保持体Ｍ，Ｌの形状は、円形状もしくは角型形状のいずれかであるものとできる。
【００１１】
以上のように構成された本考案に係るゴルフ用帽子１にあって、透磁性を有する防湿保護フィルム４で被覆してなる磁石体Ｍもしくは金属体Ｌからなる保持体は、降雨時での雨水による湿気から確実に保護される。
また、庇部３の両サイド位置に内装されている保持体Ｍ，Ｌは、マーカーＰを庇部３の両サイド位置に、使用者の選択によって磁着させる。
さらに、円形状もしくは角型形状のいずれかである保持体Ｍ，Ｌは、単一のマーカーＰを庇部３の一箇所のみに磁着させる。
【考案の効果】
【００１２】
本考案によれば、ゴルフ用帽子１の庇部３に、金属製のマーカーＰを磁着させるために当該庇部３に内装された磁石体Ｍ、あるいは磁石を内蔵したマーカーＰを磁着させるために当該庇部３に内装された金属体Ｌを湿気から保護することができ、しかも庇部３に対するマーカーの着脱が容易となり、且つ庇部３へのマーカーＰの磁着に際し、ゴルフ用帽子１自体の見た目の悪さや違和感を解消することができる。
【００１３】
すなわち、これは本考案が、ゴルフ用帽子１であって、該庇部３に、金属製のマーカーＰを磁着させるよう当該庇部３に内装された磁石体Ｍ、あるいは磁石を内蔵したマーカーＰを磁着させるよう当該庇部３に内装された金属体Ｌからなる保持体を、透磁性を有する防湿保護フィルム４で被覆してなるからであり、これにより、降雨時での雨水による湿気から磁石体Ｍ・金属体Ｌ等の保持体を確実に保護することができる。
【００１４】
また、防湿保護フィルム４で被覆してなる保持体Ｍ，Ｌは、庇部３の両サイド位置に内装されているので、ゴルフプレイヤーによって、両サイドのいずれかを任意に選択してマーカーＰを保持できる。
【００１５】
さらに、磁石体Ｍもしくは金属体Ｌからなる保持体の形状は、円形状もしくは角型形状のいずれかであるので、単一のマーカーＰを庇部３の一箇所のみに磁着させることとなり、これによってゴルフ用帽子１の庇部３全体の見た目の悪さや違和感を解消することができる。
【００１６】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１７】
以下、図面を参照して本考案を実施するための最良の一形態を説明する。図において示される符号１は例えば布地素材もしくは合成樹脂素材等によって形成されたゴルフ用帽子であり、図１に示すように、半球キャップ状の帽子本体部２と円弧鍔状の庇部３とにより構成されている。
【００１８】
そして、庇部３の両サイド位置、好ましくは対称位置で、図１に示すように、例えば円形状の磁石体Ｍを内設してあり、ゴルフプレーにおいてグリーン上にあるゴルフボールの位置の目印とするためのコイン状の金属製からなるマーカーＰを庇部３の両サイド位置の上面に磁着させて携帯できるようにしてある。尚、マーカーＰ自体は磁石体Ｍあるいは後述の金属体に磁着させるように、磁石あるいは所定の金属材を内装し、且つ所要の重量を備えたものとする合成樹脂製として、風等によっても簡単には動くことがないようにしてグリーン上に載置されるものであってもよい。
【００１９】
また、この磁石体Ｍは、図２に示すように、マーカーＰを磁着できるような適当な大きさに形成され、しかも磁石体Ｍの表面全体は、透磁性を有する例えば合成樹脂製等による防湿保護フィルム４によって完全水密状に被覆してある。
【００２０】
尚、他の形態例として、庇部３の両サイド位置に透磁性を有する防湿保護フィルム４で被覆してなる例えば円形状の金属体Ｌを内装させておき、磁石を内蔵したマーカーＰをこの金属体Ｌに磁着させるようにしても良い。
【００２１】
また、磁石体Ｍもしくは金属体Ｌからなる保持体の形状は、円形状とする他に、例えば四角もしくは五角、六角その他の角型形状であっても良い。
【００２２】
さらに、本形態のゴルフ用帽子１は、図１に示すような半球キャップ状の帽子本体部２と円弧鍔状の庇部３とからなる帽子に限定されることはなく、庇部３を有する例えばサンバイザー等の各種形状・形態の帽子に適用可能である。また、半球キャップ状の帽子本体部２以外に、例えばハンチングキャップ、パナマ帽、ウエスタン等の種々の帽子にも適用可能である。
【００２３】
次に、以上のように構成された最良の形態についての使用、動作の一例について説明する。図１に示すように、庇部３の両サイド位置のいずれか一端側にマーカーＰを近接載置させると、当該庇部３の両サイド位置に内設した磁石体Ｍによって金属製のマーカーＰが磁着固定される。
【００２４】
また、マーカーＰを庇部３から取り外して使用する場合には、手指で当該マーカーＰを自体の磁着力に抗して強制的に引き離せば、当該マーカーＰは庇部３から簡単に取り外される。
【００２５】
この磁石体Ｍは、図２に示すように、その表面全体を透磁性を有する防湿保護フィルム４で水密状に被覆した状態で庇部３内に内設してあるため、降雨時でのゴルフプレーに際し、雨水による湿気から磁石体Ｍが保護されるものとなる。
【図面の簡単な説明】
【００２６】
【図１】本考案を実施するための最良の形態におけるゴルフ用帽子の庇部の一方のサイドにマーカーを磁着させた状態を示す斜視図である。
【図２】同じく庇部にマーカーを磁着させた状態の要部断面図である。
【図３】従来例におけるゴルフ用帽子の庇部の一端側にクリップを介してマーカーを磁着させた状態を示す斜視図である。
【符号の説明】
【００２７】
Ｐ…マーカー                            Ｍ…磁石体
Ｌ…金属体                              Ｋ…クリップ
１…ゴルフ用帽子                        ２…帽子本体部
３…庇部                                ４…防湿保護フィルム
【図１】
0003134121.tif 000003
【図２】
0003134121.tif 000004
【図３】
0003134121.tif 000005